(57)【要約】【課題】複数の光源ユニットを容易かつ自在に組合せることにより、所望の輝度を得ることができる組合せ式ランプを提供する。【解決手段】組合せ式ランプ１０’は、複数の光源ユニット１２及び電源供給モジュール１４を備えるとともに、商用電源を供給するランプホルダに応用する。光源ユニット１２のうちの１つは、環状ランプ体、電極板、フレーム及び環状ランプカバーを有する。環状ランプ体は、複数の全方向性発光ダイオード１２２２を有し、全方向性発光ダイオード１２２２のそれぞれは、直列接続によって互いに電気的に接続されるとともに、互いに所定の距離で離間される。電極板は、環状ランプ体と電気的に接続される。フレームは、ベース、複数の支持柱、支持リング及び搭載部を有する。支持柱のそれぞれは、一方の端部がベースに配置され、他方の端部が支持リングに配置される。【選択図】図４
0003176283.tif 000002
【実用新案登録請求の範囲】
【請求項１】
複数の光源ユニット及び電源供給モジュールを備えるとともに、商用電源を供給するランプホルダに応用する組合せ式ランプであって、
前記光源ユニットのうちの１つは、環状ランプ体、電極板、フレーム及び環状ランプカバーを有し、
前記環状ランプ体は、複数の全方向性発光ダイオードを有し、前記全方向性発光ダイオードのそれぞれは、直列接続によって互いに電気的に接続されるとともに、互いに所定の距離で離間され、
前記電極板は、前記環状ランプ体と電気的に接続され、
前記フレームは、ベース、複数の支持柱、支持リング及び搭載部を有し、前記支持柱のそれぞれは、一方の端部が前記ベースに配置され、他方の端部が前記支持リングに配置され、前記支持柱のそれぞれは、前記ベース及び前記支持リングにより、所定の角度で間隔をおいて配置され、前記搭載部は、前記支持リングの外縁に配置され、前記搭載部上には、前記環状ランプ体が搭載され、
前記環状ランプカバーは、収容空間を構成し、前記支持リング上に配置される上、前記収容空間に前記搭載部が収容され、
前記電源供給モジュールは、前記環状ランプ体の上方に配置され、前記電極板と電気的に接続されるとともに前記ランプホルダに結合され、前記光源ユニットに必要な電気エネルギを供給することを特徴とする組合せ式ランプ。
【請求項２】
前記環状ランプ体と前記搭載部との間に設置され、前記環状ランプ体で生成された熱エネルギを電気エネルギへ変換する熱電変換層をさらに備えることを特徴とする請求項１に記載の組合せ式ランプ。
【請求項３】
前記熱電変換層は、ゼーベック効果を有する熱電発電フィルムであることを特徴とする請求項２に記載の組合せ式ランプ。
【請求項４】
前記ベース及び前記支持柱のうちの少なくとも何れか１つに設けられ、前記全方向性発光ダイオードから出射された光エネルギを電気エネルギへ変換する太陽エネルギ変換層をさらに備えることを特徴とする請求項１に記載の組合せ式ランプ。
【請求項５】
前記太陽エネルギ変換層は、薄膜太陽電池、球状マイクロ太陽電池又はペーパー電池であることを特徴とする請求項４に記載の組合せ式ランプ。
【請求項６】
前記電源供給モジュールに配置され、電気エネルギを貯える蓄電ユニットをさらに備えることを特徴とする請求項２又は４に記載の組合せ式ランプ。
【請求項７】
制御ユニット及び無線通信ユニットをさらに備え、
前記制御ユニット及び前記無線通信ユニットは、前記電源供給モジュールに配置され、前記蓄電ユニットとそれぞれ接続され、
前記無線通信ユニットは、制御信号を受信し、
前記制御ユニットは、前記制御信号に基づいて前記全方向性発光ダイオードの輝度を調整し、前記環状ランプ体を制御してオン状態にしたりオフ状態にしたりすることを特徴とする請求項６に記載の組合せ式ランプ。
【請求項８】
光源コントローラをさらに備え、
前記光源コントローラは、制御信号を生成し、無線通信技術により前記無線通信ユニットと通信し、前記無線通信ユニットへ制御信号を送信することを特徴とする請求項７に記載の組合せ式ランプ。
【請求項９】
前記ベースは、中空状の錐体であり、前記中空状の錐体内に前記電極板が複数配置され、重ねて組み合わせて前記ベースを複数形成した後、前記電極板が互いに電気的に接続されることを特徴とする請求項１に記載の組合せ式ランプ。
【請求項１０】
前記フレームは、透光材料からなることを特徴とする請求項１に記載の組合せ式ランプ。
【考案の詳細な説明】
【技術分野】
【０００１】
本考案は、組合せ式ランプに関し、特に、複数の光源ユニットを容易かつ自在に組合せて所望の輝度を得ることができる組合せ式ランプに関する。
【背景技術】
【０００２】
近年、クリーンエネルギ産業が急速に発展し、発光ダイオードの発光機能の大幅な向上に伴い、従来の白熱電球に代替し、環境保護を実現する新しいタイプの照明ランプとして発光ダイオードが広く利用されている。そのなかでも特に、高指向性及び高パワーを備えた発光ダイオードが広く利用されている。
【０００３】
しかし、発光ダイオードが高パワーで発光すると大量の熱エネルギーが発生し、発光ダイオードの環境保全型照明ランプには、放熱のための大面積の放熱構造を組み合わせる必要があるため、環境保全型照明ランプの設計上、大幅な制限が加えられる。
【考案の概要】
【考案が解決しようとする課題】
【０００４】
本考案の第１の目的は、商用電源に対応するランプホルダに使用することができ、複数の光源ユニットを重ねたり組み合わせたりすることにより、所望の輝度を得ることができる組合せ式ランプを提供することにある。
【０００５】
本考案の第２の目的は、制御ユニット及び無線通信ユニットを使用し、光源コントローラを介し、複数の光源ユニットに対して無線スマート型の制御を行う組合せ式ランプを提供することにある。
【０００６】
本考案の第３の目的は、熱電変換層及び太陽エネルギ変換層のうちの少なくとも何れか一つにより、ランプに発生した熱エネルギ及び光エネルギを電気エネルギに変換し、その電気エネルギをランプで使用する組合せ式ランプを提供することにある。
【課題を解決するための手段】
【０００７】
上記課題を解決するために、本考案の第１の形態によれば、複数の光源ユニット及び電源供給モジュールを備えるとともに、商用電源を供給するランプホルダに応用する組合せ式ランプであって、前記光源ユニットのうちの１つは、環状ランプ体、電極板、フレーム及び環状ランプカバーを有し、前記環状ランプ体は、複数の全方向性発光ダイオードを有し、前記全方向性発光ダイオードのそれぞれは、直列接続によって互いに電気的に接続されるとともに、互いに所定の距離で離間され、前記電極板は、前記環状ランプ体と電気的に接続され、前記フレームは、ベース、複数の支持柱、支持リング及び搭載部を有し、前記支持柱のそれぞれは、一方の端部が前記ベースに配置され、他方の端部が前記支持リングに配置され、前記支持柱のそれぞれは、前記ベース及び前記支持リングにより、所定の角度で間隔をおいて配置され、前記搭載部は、前記支持リングの外縁に配置され、前記搭載部上には、前記環状ランプ体が搭載され、前記環状ランプカバーは、収容空間を構成し、前記支持リング上に配置される上、前記収容空間に前記搭載部が収容され、前記電源供給モジュールは、前記環状ランプ体の上方に配置され、前記電極板と電気的に接続されるとともに前記ランプホルダに結合され、前記光源ユニットに必要な電気エネルギを供給することを特徴とする組合せ式ランプが提供される。
【０００８】
また、前記環状ランプ体と前記搭載部との間に設置され、前記環状ランプ体で生成された熱エネルギを電気エネルギへ変換する熱電変換層をさらに備えることが好ましい。
【０００９】
また、前記熱電変換層は、ゼーベック効果を有する熱電発電フィルムであることが好ましい。
【００１０】
また、前記ベース及び前記支持柱のうちの少なくとも何れか１つに設けられ、前記全方向性発光ダイオードから出射された光エネルギを電気エネルギへ変換する太陽エネルギ変換層をさらに備えることが好ましい。
【００１１】
また、前記太陽エネルギ変換層は、薄膜太陽電池、球状マイクロ太陽電池又はペーパー電池であることが好ましい。
【００１２】
また、前記電源供給モジュールに配置され、電気エネルギを貯える蓄電ユニットをさらに備えることが好ましい。
【００１３】
また、制御ユニット及び無線通信ユニットをさらに備え、前記制御ユニット及び前記無線通信ユニットは、前記電源供給モジュールに配置され、前記蓄電ユニットとそれぞれ接続され、前記無線通信ユニットは、制御信号を受信し、前記制御ユニットは、前記制御信号に基づいて前記全方向性発光ダイオードの輝度を調整し、前記環状ランプ体を制御してオン状態にしたりオフ状態にしたりすることが好ましい。
【００１４】
また、光源コントローラをさらに備え、前記光源コントローラは、制御信号を生成し、無線通信技術により前記無線通信ユニットと通信し、前記無線通信ユニットへ制御信号を送信することが好ましい。
【００１５】
また、前記ベースは、中空状の錐体であり、前記中空状の錐体内に前記電極板が複数配置され、重ねて組み合わせて前記ベースを複数形成した後、前記電極板が互いに電気的に接続されることが好ましい。
【００１６】
また、前記フレームは、透光材料からなることが好ましい。
【考案の効果】
【００１７】
本考案の組合せ式ランプは、複数の光源ユニット及び電源供給モジュールから構成される。複数の光源ユニットのうちの１つは、小パワーの全方向性封止発光ダイオードを組み合わせて低熱源及び全方向性の立体発光光源を形成し、透明なフレームモジュールと環状ランプカバーとを結合させて３６０度全方向へ光を照射する。また、本考案は、熱電変換層及び太陽エネルギ変換層により、ランプ体及び外部光源のうちの少なくとも何れか１つが生成した熱エネルギ及び光エネルギを電気エネルギへ変換することにより、もう一つの全方向性出射ランプを駆動して輝度を高める。さらに、本考案は、光源コントローラによりランプ体を制御し、スマート型制御及び光源の消費電力を減らし、光源コントローラに必要な電源として、熱電変換層及び太陽エネルギ変換層で変換して得た電気を利用することができる。
【図面の簡単な説明】
【００１８】
【図１】本考案の第１実施形態に係る組合せ式ランプを示す斜視図である。
【図２】本考案の第１実施形態に係る組合せ式ランプの光源ユニットを示す斜視図である。
【図３】本考案の第１実施形態に係る組合せ式ランプの光源ユニットを示す斜視図である。
【図４】本考案の第２実施形態に係る組合せ式ランプを示す斜視図である。
【考案を実施するための形態】
【００１９】
以下、本考案の実施形態について図に基づいて説明する。なお、これによって本考案が限定されるものではない。
【００２０】
（第１実施形態）
図１を参照する。図１に示すように、本考案の第１実施形態に係る組合せ式ランプ１０は、商用電源に対応するランプホルダに使用される。組合せ式ランプ１０は、複数の光源ユニット１２及び電源供給モジュール１４を含む。
【００２１】
図２を併せて参照する。複数の光源ユニット１２のうちの１つは、環状ランプ体１２２、電極板１２４、フレーム１２６及び環状ランプカバー１２８を含む。環状ランプ体１２２は、複数の全方向性発光ダイオード１２２２を有する。複数の全方向性発光ダイオード１２２２は、直列接続によって互いに電気的に接続される。また、複数の全方向性発光ダイオード１２２２間は、それぞれ距離ｄで離間されている。
【００２２】
電極板１２４は、環状ランプ体１２２と電気的に接続される。
【００２３】
フレーム１２６は、ベース１２６２、複数の支持柱１２６４、支持リング１２６６及び搭載部１２６８を有する。各支持柱１２６４は、一方の端部がベース１２６２に配置され、他方の端部が支持リング１２６６に配置される。また、各支持柱１２６４は、ベース１２６２及び支持リング１２６６により、角度θで、間隔を空けて配置される。搭載部１２６８は、支持リング１２６６の外縁に配置される。搭載部１２６８上には、環状ランプ体１２２が搭載される。他の実施形態において、フレーム１２６は透光材料からなる。ベース１２６２は、中空状の錐体である。複数の電極板１２４は、中空状の錐体に配置され、複数のベース１２６２が組み合わされると、複数の電極板１２４が互いに電気的に接続される。
【００２４】
環状ランプカバー１２８は、収容空間１２８２を構成する。環状ランプカバー１２８は、支持リング１２６６上に配置され、収容空間１２８２に搭載部１２６８を収容するために用いる。
【００２５】
電源供給モジュール１４は、環状ランプ体１２２の上方に配置される。電源供給モジュール１４は、電極板１２４と電気的に接続される。電源供給モジュール１４は、ランプホルダに接合され、光源ユニット１２に必要な電気エネルギを供給する。
【００２６】
図３を参照する。図３に示すように、光源ユニット１２’は、環状ランプ体１２２、電極板１２４、フレーム１２６及び環状ランプカバー１２８を含む以外に、熱電変換層１６及び太陽エネルギ変換層１８をさらに含む。
【００２７】
熱電変換層１６は、環状ランプ体１２２と搭載部１２６８との間に配置される。熱電変換層１６は、環状ランプ体１２２から発生する熱エネルギを電気エネルギに変換する。熱電変換層１６は、ゼーベック効果（Ｓｅｅｂｅｃｋ  ｅｆｆｅｃｔ）を有する熱電発電フィルム（ｆｉｌｍ  ｔｈｅｒｍｏｅｌｅｃｔｒｉｃ  ｇｅｎｅｒａｔｏｒ）である。太陽エネルギ変換層１８は、ベース１２６２及び／又は複数の支持柱１２６４に配置される。太陽エネルギ変換層１８は、複数の全方向性発光ダイオード１２２から出射される光エネルギを電気エネルギに変換する。太陽エネルギ変換層１８は、薄膜太陽電池（ｆｉｌｍ  ｓｏｌａｒ  ｃｅｌｌ）、球状マイクロ太陽電池（ｓｐｈｅｒｉｃａｌ  ｍｉｃｒｏ  ｓｏｌａｒ  ｃｅｌｌ）又はペーパー電池（ｐａｐｅｒ  ｂａｔｔｅｒｙ）である。
【００２８】
（第２実施形態）
図４を参照する。図４に示すように、本考案の第２実施形態に係る組合せ式ランプ１０’は、複数の光源ユニット１２、電源供給モジュール１４、熱電変換層１６及び太陽エネルギ変換層１８を含む点で第１実施形態と同様であるが、蓄電ユニット２０、光源コントローラ２２、制御ユニット２４及び無線通信ユニット２６をさらに含む点で第１実施形態と異なる。蓄電ユニット２０は、熱電変換層１６及び太陽エネルギ変換層１８にそれぞれ接続され、電気エネルギを貯えるために用いる。
【００２９】
光源コントローラ２２は、複数の全方向性発光ダイオード１２２２の輝度調整と、環状ランプ体１２２のオン／オフと、に用いる制御信号ＣＳを生成する。
【００３０】
制御ユニット２４及び無線通信ユニット２６は、蓄電ユニット２０にそれぞれ接続され、蓄電ユニット２０に蓄電された電気エネルギを使用する。無線通信ユニット２６は、光源コントローラ２２から発信された制御信号ＣＳを受信する。制御ユニット２４は、制御信号ＣＳに基づき、環状ランプ体１２２の輝度を調整したり、環状ランプ体１２２のオン／オフを行ったりする。
【００３１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３２】
１０  組合せ式ランプ
１０’  組合せ式ランプ
１２  光源ユニット
１２’  光源ユニット
１４  電源供給モジュール
１６  熱電変換層
１８  太陽エネルギ変換層
２０  蓄電ユニット
２２  光源コントローラ
２４  制御ユニット
２６  無線通信ユニット
１２２  環状ランプ体
１２４  電極板
１２６  フレーム
１２８  環状ランプカバー
１２２２  全方向性発光ダイオード
１２６２  ベース
１２６４  支持柱
１２６６  支持リング
１２６８  搭載部
１２８２  収容空間
θ  角度
ＣＳ  制御信号
【図１】
0003176283.tif 000003
【図２】
0003176283.tif 000004
【図３】
0003176283.tif 000005
【図４】
0003176283.tif 000006